(57)【要約】      （修正有）【課題】換気口への取付け取外しが容易で、止水を確実に行うことができる止水具を提供する。【解決手段】矩形の枠３に金網５が張設され、基礎２に形成の開口７に取付けられる換気口１の枠は強磁性体で形成され、ゴム又は樹脂製で磁力を有する磁粉を混入したシート１４を枠に磁力で取付け、換気口の全面を覆う。【選択図】図６
2020122343.tif 000002
【特許請求の範囲】
【請求項１】
強磁性体よりなる枠及び該枠の全面に取付けられ、空気流通口を無数に備えた多孔材を有する換気口と、該換気口又は該換気口が取付けられる基礎に形成の開口を閉塞可能な板又はシートよりなり、前記枠又は前記開口の外側周縁に取付けられる強磁性体の枠と、該枠又は換気口を構成する前記枠に当てがわれる前記板又はシートのうち、少なくとも前記いずれかの枠に当たる箇所と、前記いずれかの枠のうち、少なくとも一方には磁力を備えた磁粉が混入されること特徴とする床下換気口。
【請求項２】
換気口は既設の換気口であり、換気口周縁には強磁性体の枠が止着手段により取着されることを特徴とする請求項１記載の床下換気口。
【請求項３】
磁力を備えた磁粉は板又はシートに混入されることを特徴とする請求項１又は２記載の床下換気口。
【発明の詳細な説明】
【技術分野】
【０００１】
本発明は、建物の床下換気口に浸水防止のために取外し可能に取付けられる止水具に関する。
【背景技術】
【０００２】
多くの建物においては法令上、床下に防湿のため換気口を設置し、換気口にはねずみの侵入を防止する構造とすることが定められている。この換気口からは豪雨時に水が浸入して床下浸水をもたらすことがある。
【０００３】
この問題を解決するため、下記特許文献１には、換気口周縁にシール部を介して喚起用の連通孔を多数形成した枠部を取付け、豪雨時には該枠部の下端に外向きに突出形成される挿入溝に蓋部を横向きにして挿入して換気口を被覆し、蓋部上端を枠部に取付けたパッチン錠で押えて固定する止水装置が開示され、特許文献２には、外壁換気口と床下換気口の双方に通ずる空間の入口に湿気を排出するための開口を備えたねずみ返し部を設置し、ヒンジにより上下に傾動して上位置と下位置に切換可能に軸支され、下位置に切換えたときには、ねずみ返し部を通した空気の流通を可能にし、上位置に切換えたときには、ねずみ返し部を塞いで浸水を防止する水切りが開示されている。
【０００４】
また特許文献３には、床下にガイド部と、止水部で構成される床下換気口を設置し、該床下換気工を構成する空気通路の拡大する下部には、球体フロートを装着し、該球体フロートは常には自重により床下換気口下側面上に置かれて空気流通路を通した空気の流通を妨げないようにし、豪雨時には床下通機工に浸入した水の浮力で空気流通路の狭窄部を塞いで浸水防止を行う床下浸水防止装置が開示されている。
【先行技術文献】
【特許文献】
【０００５】
【特許文献１】特開２０１７−８６５５号公報
【特許文献１】特開２０１１−２２００４８号公報
【特許文献１】特開２０１６−１３２８６９号公報
【発明の概要】
【発明が解決しようとする課題】
【０００６】
特許文献１記載の止水装置では、蓋部を取付けるのに、蓋部を枠部の挿入溝に挿入して換気口を塞ぐようにして位置決めしたのち、何か所かでパッチン錠により止着して取付ける必要があり、取付けに手間が掛かる。
特許文献２記載の浸水防止装置では、ヒンジが土砂などで詰まることにより正常に作動しなくなるおそれがある。
【０００７】
特許文献３記載の水切りは、構造が複雑で製造にコスト高をもたらし、また球体フロートによる止水機能の確実性を欠き、また球体フロートが空気流通路の狭窄部を確実に塞いでいるかどうかの確認が困難である。
本発明は、上記の問題を解消し、換気口への取付け取外しが容易で、止水を確実に行うことができる止水具を提供することを目的とする。
【課題を解決するための手段】
【０００８】
請求項１に係る発明は、強磁性体よりなる枠及び該枠の全面に取付けられ、空気流通口を無数に備えた多孔材を有する換気口と、該換気口又は該換気口が取付けられる基礎に形成の開口を閉塞可能な板又はシートよりなり、前記枠又は前記開口の外側周縁に取付けられる強磁性体の枠と、該枠又は換気口を構成する前記枠に当てがわれる前記板又はシートのうち、少なくとも前記いずれかの枠に当たる箇所と、前記いずれかの枠のうち、少なくとも一方には磁力を備えた磁粉が混入されること特徴とする。
【０００９】
請求項２に係る発明は、請求項１に係る発明において、換気口は既設の換気口であり、換気口周縁には強磁性体の枠が止着手段により取着されることを特徴とし、
請求項３に係る発明は、請求項１又は２に係る発明において、磁力を備えた磁粉は板又はシートに混入されることを特徴とする。
【発明の効果】
【００１０】
請求項１に係る発明によると、板又はシートは換気口に設けられる枠、又は基礎に形成の開口に取付けた強磁性体の枠に磁力により取着されるが、板又はシートは構造が簡単で、保管するスペースも左程必要とせず、その取付け及び取外しが容易であること、止水を確実の行うことができることなどの効果を有する。
請求項２に係る発明によると、既設の換気口にも簡易に取付けることができる。
【００１１】
請求項３に係る発明によると、板又はシートに磁力を備えた磁粉が混入されることにより、家庭内の例えば冷蔵庫に取付けて簡便に保管することができるほか、磁粉を換気口に取付けた場合、換気口周辺の巻き上がった鉄粉或いは飛来する鉄粉が付着して換気口が汚れ易くなるおそれがあるのに対し、磁粉を板又はシートに混入させた場合、こうした問題を生じない。
【図面の簡単な説明】
【００１２】
【図１】換気口を備えた床下の断面図。
【図２】換気口の正面図。
【図３】基礎の開口外側周縁に換気口を取付けた要部の拡大断面図。
【図４】基礎の開口内に換気口を取付けた断面図。
【図５】換気口に取付けられるマグネットシートの正面図。
【図６】基礎の開口外側周縁に図５に示すマグネットシートを取付けた換気口の断面図。
【図７】基礎の開口外側周縁に図５に示すマグネットシートを取付けた断面図。
【発明を実施するための形態】
【００１３】
以下、本発明に係る換気口について図面により説明する。
図１は、換気口１を備えた床下の鉄筋コンクリート造りの基礎２を示すもので、換気口１は図２に示すように、矩形をなす強磁性体、例えば鉄、フェライト系ステンレス製等の枠３と、該枠３の全面に取付けられる多孔材、例えば上下及び左右の縁部が枠３に例えば溶接にて取着して張設される金網５と、前記枠内に該枠３と一体形成される金網補強用の菱形の補強材６とで構成され、枠３は基礎２の開口（図３及び図４において、符号７で示す）の外側周縁よりサイズが大で、該開口の外側周縁に外側から当てがわれて図示しないボルト、ネジ等の止着具により取付けられるか、或いは接着剤にて取付けられるようになっている。
【００１４】
図３は、接着剤にて取付けた例を示すもので、換気口１が当てがわれる基礎２の開口７の外側周縁に枠３が接着剤８にて取着され、枠３の周りには防水のためシーリングル材９が取付けてある。
前記実施形態の換気口１は、開口周縁に宛がわれて取付けられるが、図４に示す実施形態においては、開口７内に取付けられる。
【００１５】
換気口１が図４に示すように開口内に取付けられる場合、該換気口１は開口７と同形同大で、基礎施工後の開口７に外側から押込んで取付けるか、或いは基礎施工時に型枠に組み付けた状態でコンクリートを打設して取付けられる。基礎施工時に取付ける場合には通常、換気口１よりサイズが大きく形成され、固定されて取外しできないようにされる。
【００１６】
前記実施形態の換気口１を構成する金網３は、ねずみはもとよりのこと、虫の侵入をも防止できるようになっている。図１において、１１は基礎２に埋設される鉄筋、１２は地面である。
前記換気口１の枠３は、補強材６を菱形以外の他の形状にしてもよいし、省いて枠３のみで形成してもよい。
【００１７】
図５は、前記枠３と同形の矩形で、若干小さめであるが、ほぼ同サイズをなし、全体に磁粉を均一に混入した可撓性のあるゴム又は樹脂製のマグネットシート１４を示すもので、前記強磁性体の枠３及び菱形の補強材６に磁力で取付けられるようになっている。
【００１８】
このマグネットシート１４は、通常は嵩張らないように丸め込んで保管されるか、或いは家庭内の鉄製の器具、例えば鋼製をなす冷蔵庫の側面に取付けて保持され、換気口１から浸水し、或いは浸水するおそれがあるときには、マグネットシート１４を冷蔵庫から引き剥がして換気口１まで運び、拡げた状態で図６に示すように、開口外側周縁に取付けた枠３に位置決めして取付ける。
【００１９】
水が引け、浸水のおそれがなくなったときには、マグネットシート１４を枠２より引き剥がして換気口１での通気に支障を来たさないようにする。
本発明者らは、箱の内部を枠３にマグネットシート１４を取付けた換気口１により２つに仕切り、一方に水を入れて他方への水漏れの有無を確認したところ、水漏れは生じず、マグネットシート１４の剥離も生じなかった。
【００２０】
換気口１が開口内に取付けられる場合、図７に示すように強磁性体製の枠１６を図３と同様、開口外側周縁に接着剤を用いて取付け、その周縁にシーリング材を取付けてシーリングし、その後、マグネットシート１４を枠１６に取着する。
【００２１】
前記実施形態のマグネットシート１４は、既設の換気口１に取付けることができるが、この場合、既設の換気口の枠が強磁性体でなく、磁石の磁力作用によるマグネットシート１４の取付けができない場合、既設の換気口の枠１に強磁性体製枠を止着手段、例えば接着材又はネジにて止着し、その後マグネットシート１４を前述するようにして取付ける。既設の換気口の枠と強磁性体製枠との間には、シールのためシート状のシール材を介在させておくのが望ましい。
【００２２】
前記実施形態では、可撓性のあるマグネットシート１４を用いた例を示したが、別の実施形態では、枠３自体が磁石で形成されるか、或いは枠にマグネットシートを取付ける。この場合、枠を被覆するシート又は板としては磁粉を混入せず、磁力を有しない強磁性体のシート或いは板が用いられ、このシート或いは板は可撓性を有していても、有していなくてもよい。
【符号の説明】
【００２３】
１・・換気口
２・・基礎
３・・枠
５・・金網
６・・補強材
７・・開口
１４・・マグネットシート
【図１】
2020122343.tif 000003
【図２】
2020122343.tif 000004
【図３】
2020122343.tif 000005
【図４】
2020122343.tif 000006
【図５】
2020122343.tif 000007
【図６】
2020122343.tif 000008
【図７】
2020122343.tif 000009